(57)【要約】【課題】様々な作業現場に容易に設置することができる移動式スクリーン設備を提供する。【解決手段】移動式スクリーン設備１０は、クローラ１１を備えて自走可能とされた車台１２上に、第一ベルトコンベア２０と、第一ベルトコンベア２０に被搬送物を投入するホッパー２１と、第一ベルトコンベア２０によって搬送された被搬送物を篩い分けするスクリーン３０と、スクリーン３０で篩い分けされた被搬送物をそれぞれ車台１２外に搬出する第二ベルトコンベア４０および第三ベルトコンベア５０と、を備える。さらに、移動式スクリーン設備１０の各部における粉塵を吸収する集塵機６０を備えるのが好ましい。【選択図】図１
2010253452.tif 000002
【特許請求の範囲】
【請求項１】
クローラを備えて自走可能とされた車台に、
一端側が前記車台の外周部近傍に配置され、他端側へ向けて上昇する第一ベルトコンベアと、
被搬送物が積載され、前記被搬送物を前記第一ベルトコンベアの一端側に投入するホッパーと、
前記第一ベルトコンベアの他端側まで搬送されて落下する前記被搬送物を篩い分けするスクリーンと、
前記スクリーンを通過した所定粒度未満の前記被搬送物が投入され、前記車台の外周部近傍まで前記被搬送物を搬送する第二ベルトコンベアと、
前記スクリーン上に残存した所定粒度以上の前記被搬送物が投入され、前記車台の外周部へ向けて上昇しつつ前記被搬送物を搬送する第三ベルトコンベアと、
を備えることを特徴とする移動式スクリーン設備。
【請求項２】
前記ホッパーが前記車台の走行方向の前端または後端に設けられ、
前記第一ベルトコンベアは、前記車台の走行方向に沿って設置され、
前記スクリーンは、前記第一ベルトコンベアの前記ホッパーが設けられた側とは反対側の端部の下方に設けられ、
前記第二ベルトコンベアおよび前記第三ベルトコンベアは、前記スクリーンの下方にそれぞれの一端を配置したことを特徴とする請求項１に記載の移動式スクリーン設備。
【請求項３】
前記ホッパーから前記第一ベルトコンベアへの移載部、前記第一ベルトコンベアから前記スクリーンへの移載部、前記スクリーンから第二ベルトコンベアへの移載部、前記スクリーンから前記第三ベルトコンベアへの移載部のうち、少なくとも一カ所で発生する粉塵を吸引する集塵機が前記車台上に設けられていることを特徴とする請求項１または２に記載の移動式スクリーン設備。
【請求項４】
前記移載部は、前記第一ベルトコンベア、前記第二ベルトコンベア、前記第三ベルトコンベアに対向する下方のみに開口した箱状で、
前記集塵機は、箱状の前記移載部の内部に連通するノズルを有していることを特徴とする請求項３に記載の移動式スクリーン設備。
【請求項５】
前記集塵機で回収した前記粉塵を、前記第一ベルトコンベアまたは前記第二ベルトコンベアに投入することを特徴とする請求項３または４に記載の移動式スクリーン設備。
【発明の詳細な説明】
【技術分野】
【０００１】
本発明は、各種作業現場において、被搬送物の搬送や篩い分けに用いられる移動式スクリーン設備に関する。
【背景技術】
【０００２】
作業現場において、土砂や岩石、木材チップ、あるいはリサイクル原料等の被搬送物を搬送するためにベルトコンベアが多用されているのは周知の通りである。様々な作業現場において被搬送物を搬送する需要があるが、作業現場へのベルトコンベアの搬入や設置には手間が掛かるため、自走式の走行体を備えた自走式コンベア装置が提案されている（例えば、特許文献１参照。）。
【０００３】
また、作業現場においては、被搬送物を、その粒度（粒径）に応じて選別する必要があることがある。そのような場合、篩い分けを行うスクリーンを備えたスクリーン装置を用いるが、このようなスクリーン装置においても、作業現場への搬入や設置の手間を軽減するために、自走式のスクリーン装置が提案されている（例えば、特許文献２参照。）。
【先行技術文献】
【特許文献】
【０００４】
【特許文献１】特開２００８−１００８０３号公報
【特許文献２】特開２００５−３０５２２６号公報
【発明の概要】
【発明が解決しようとする課題】
【０００５】
しかしながら、篩い分けを行う場合、スクリーン装置だけではなく、スクリーン装置に被搬送物を搬送したり、スクリーンで篩い分けされた被搬送物を搬出するためのベルトコンベアが必要であるため、スクリーン装置に加え、ベルトコンベアを用意する必要があった。そのため、作業現場においては、スクリーン装置とベルトコンベアを組み合わせて設置する必要があり、これらが例え自走式であったとしても、使用できるまでの準備に手間が掛かると言う問題がある。
【０００６】
さらに、ベルトコンベアからスクリーン装置に被搬送物を投入するホッパーも必要であり、その用意や設置にも手間が掛かる。
【０００７】
さらに加え、移動式の設備を用いる場合、一般には集塵機をわざわざ設置するのが手間であるため、集塵機が設置されないことも多い。したがって、特に移動式の搬送設備、篩い分け設備を用いる場合には、その作業環境に改善の余地がある。
本発明は、このような技術的課題に基づいてなされたもので、様々な作業現場に容易に設置することができる移動式スクリーン設備を提供することを目的とする。
【課題を解決するための手段】
【０００８】
かかる目的のもと、本発明の移動式スクリーン設備は、クローラを備えて自走可能とされた車台に、一端側が車台の外周部近傍に配置され、他端側へ向けて上昇する第一ベルトコンベアと、被搬送物が積載され、被搬送物を第一ベルトコンベアの一端側に投入するホッパーと、第一ベルトコンベアの他端側まで搬送された被搬送物を篩い分けするスクリーンと、スクリーンを通過した所定粒度未満の被搬送物が投入され、車台の外周部近傍まで被搬送物を搬送する第二ベルトコンベアと、スクリーン上に残存した所定粒度以上の被搬送物が投入され、車台の外周部へ向けて上昇しつつ被搬送物を搬送する第三ベルトコンベアと、を備えることを特徴とする。
このような移動式スクリーン設備が備える各構成はいかなるレイアウトとしても良いが、ホッパーを車台の走行方向の前端または後端に設け、第一ベルトコンベアは、車台の走行方向に沿って延びるよう設置し、スクリーンは、第一ベルトコンベアのホッパーが設けられた側とは反対側の端部の下方に設け、第二ベルトコンベアおよび第三ベルトコンベアは、スクリーンの下方にそれぞれの一端を配置するのが好ましい。
このような移動式スクリーン設備は、クローラを備えて自走可能とされた車台上に、第一ベルトコンベアと、第一ベルトコンベアに被搬送物を投入するホッパーと、第一ベルトコンベアによって搬送された被搬送物を篩い分けするスクリーンと、スクリーンで篩い分けされた被搬送物をそれぞれ車台外に搬出する第二ベルトコンベアおよび第三ベルトコンベアと、を備えているので、第一ベルトコンベアの一端に投入させた被搬送物を上昇させながら、他端側において、篩い分けに必要な落差を確保することができ、被搬送物の搬送と、篩い分けとを行うことができる。
【０００９】
また、ホッパーから第一ベルトコンベアへの移載部、第一ベルトコンベアからスクリーンへの移載部、スクリーンから第二ベルトコンベアへの移載部、スクリーンから第三ベルトコンベアへの移載部のうち、少なくとも一カ所で発生する粉塵を吸引する集塵機を車台上に設けるのが好ましい。集塵機により、作業現場に発生する粉塵を抑えることができ、作業環境を向上させることができる。
ここで、移載部は、第一ベルトコンベア、第二ベルトコンベア、第三ベルトコンベアに対向する下方のみに開口した箱状とするのが好ましい。移載時に粉塵が周囲に飛散するのを抑制できる。さらに、集塵機は、箱状の移載部の内部に連通するノズルを有し、移載部内の粉塵を直接吸引するのが好ましい。
さらに、集塵機で回収した粉塵を、第一ベルトコンベアまたは第二ベルトコンベアに投入するのが好ましい。
【発明の効果】
【００１０】
本発明の移動式スクリーン設備によれば、被搬送物の搬送と、篩い分けとを行うことができる。したがって、このような移動式スクリーン設備を任意の作業現場に移動させるのみで、手間のかかる設置作業を行うことなく、即座に使い始めることができ、作業効率を大幅に向上させることができる。
【００１１】
また、集塵機を車台上に設けることで、様々な作業現場において作業環境を容易に改善することができる。
【図面の簡単な説明】
【００１２】
【図１】本発明に係る移動式スクリーン設備の概略構成を示す側面図である。
【発明を実施するための形態】
【００１３】
以下、添付図面を参照して、本発明による同軸線路を実施するための最良の形態を説明する。しかし、本発明はこれらの実施例のみに限定されるものではない。
図１に示すように、移動式スクリーン設備１０は、クローラ１１を備えて自走可能とされた車台１２上に、第一ベルトコンベア２０と、ホッパー２１と、スクリーン３０と、第二ベルトコンベア４０と、第三ベルトコンベア５０と、集塵機６０と、を備えている。
【００１４】
第一ベルトコンベア２０は、車台１２上に、下方端２０ａが車台１２の外周部近傍において所定高さの架台２３上に載置されて、クローラ１１による車台１２の走行方向（図１における左右方向）に沿って延び、上方端２０ｂがスクリーン３０に固定されている。
ホッパー２１は、第一ベルトコンベア２０の下方端２０ａの近傍に設けられており、上方に開口した投入口２１ａから被搬送物の投入を受け入れて収容する。ホッパー２１の下端部に形成された供給口（移載部）２１ｂは、第一ベルトコンベア２０の上方に対向する側（すなわち下方）のみに開口した箱状で、この供給口２１ｂからは被搬送物を一定の量を第一ベルトコンベア２０上に供給する。
【００１５】
スクリーン３０は、第一ベルトコンベア２０の上方端２０ｂの下方に配置されている。このスクリーン３０は、チャンバー３１内に、図示しない篩いと、篩いを振動させる振動装置と、を備えている。スクリーン３０には、図示しない篩いを通過した、所定の粒度未満の被搬送物を落下させる第一シュート３２が備えられている。第一シュート３２の下端部には、第二ベルトコンベア４０の上方に対向する側（すなわち下方）のみに開口した箱状の供給口（移載部）３２ａが形成され、篩いを通過した被搬送物を第二ベルトコンベア４０上に供給する。
また、スクリーン３０には、図示しない篩いを通過せず、篩い上に残存する所定の粒度以上の被搬送物をチャンバー３１外に排出するための第二シュート３３が設けられている。ここで、篩いは第一ベルトコンベア２０の上方端２０ｂの下方位置から、第二シュート３３側に向けて下方に傾斜して設けられている。これにより、篩い上に残存した被搬送物は、篩いが振動装置によって振動されることで、篩い上から滑り落ち、第二シュート３３を通って排出される。この第二シュート３３も、第三ベルトコンベア５０の上方に対向する側（すなわち下方）のみに開口した箱状の供給口（図示省略）を備えることができる。
【００１６】
第二ベルトコンベア４０は、その一端４０ａが第一シュート３２の下方位置において架台４１に支持され、第一シュート３２から排出される所定の粒度未満の被搬送物を受け取る。第二ベルトコンベア４０は、支柱４２により傾斜状態に支持され、第一ベルトコンベア２０と同様、車台１２の走行方向に沿って延びている。第二ベルトコンベア４０の他端４０ｂは、クローラ１１の走行方向に対し、車台１２から突出して設けられており、第二ベルトコンベア４０によって搬送される所定の粒度未満の被搬送物を、車台１２の外周部近傍に設けられたストック容器等に投入する。
【００１７】
第三ベルトコンベア５０は、下方端５０ａが支柱５１によって支持され、車台１２の走行方向に直交する方向に延びて、その上方端（図示無し）は、車台１２から側方に突出した位置に支持されている。
第三ベルトコンベア５０の下方端５０ａ側においては、前記の第二シュート３３が、第三ベルトコンベア５０の搬送面に対向しており、第三ベルトコンベア５０では、第二シュート３３からから排出される所定の粒度以上の被搬送物を受け取る。第三ベルトコンベア５０は、所定の粒度以上の被搬送物を搬送し、車台１２の外周部近傍に設けられたストック容器等に投入する。
【００１８】
集塵機６０は、ホッパー２１の供給口２１ｂ、スクリーン３０のチャンバー３１、第一シュート３２の供給口３２ａ、第二シュート３３の供給口（図示省略）の内部にそれぞれ連通したノズル６１Ａ、６１Ｂ、６１Ｃ（第二シュート３３のノズルは図示無し）が配置されている。これらノズル６１Ａ、６１Ｂ、６１Ｃは、ダクト６２Ａ、６２Ｂ、６２Ｃを介して集塵機６０に接続されている。これにより、集塵機６０を作動させると、ホッパー２１から第一ベルトコンベア２０、第一ベルトコンベア２０からスクリーン３０のチャンバー３１、第一シュート３２から第二ベルトコンベア４０、第二シュート３３から第三ベルトコンベア５０、にそれぞれ被搬送物が投入されたときに発生する粉塵等をノズル６１Ａ、６１Ｂ、６１Ｃから吸引できる。
【００１９】
また、集塵機６０で回収した粉塵は、集塵機６０のダストシュート６３から第一ベルトコンベア２０上に投入される。これにより、投入された粉塵は、他の被搬送物とともにスクリーン３０を経て、第二ベルトコンベア４０によって搬出される。
したがって、集塵機６０で回収した粉塵を別途回収する必要がなく、手間とコストを省くとともに、資源を有効利用することができる。
なお、集塵機６０で回収した粉塵は、第一ベルトコンベア２０に限らず、第二ベルトコンベア４０上に直接投入しても良い。
【００２０】
上述したような移動式スクリーン設備１０は、クローラ１１を備えて自走可能とされた車台１２上に、第一ベルトコンベア２０と、第一ベルトコンベア２０に被搬送物を投入するホッパー２１と、第一ベルトコンベア２０によって搬送された被搬送物を篩い分けするスクリーン３０と、スクリーン３０で篩い分けされた被搬送物をそれぞれ車台１２外に搬出する第二ベルトコンベア４０および第三ベルトコンベア５０と、を備えているので、被搬送物の搬送と、篩い分けとを行うことができる。したがって、このような移動式スクリーン設備１０を、任意の作業現場に移動させるのみで、手間のかかる設置作業を行うことなく、即座に使い始めることができ、作業効率を大幅に向上させることができる。また、被搬送物の投入が、第一ベルトコンベアの低い側の端部から行われるので、作業性がよく、しかも、第一ベルトコンベアによって搬送しながら、その他端側では、篩い分けに必要な落差を確保することができる。また、第三ベルトコンベアによって被搬送物を上昇させているので、出口において、被搬送物を落下させることにより、例えば搬送車両の荷台等に容易に積み込むことができる。
【００２１】
また、本実施形態の移動式スクリーン設備１０は、ホッパー２１から第一ベルトコンベア２０、第一ベルトコンベア２０からスクリーン３０のチャンバー３１、第一シュート３２から第二ベルトコンベア４０、第二シュート３３から第三ベルトコンベア５０、にそれぞれ被搬送物が投入されたときに発生する粉塵等を吸引する集塵機６０を備えているので、作業現場に発生する粉塵を抑えることができ、作業環境を向上させることができる。
【００２２】
なお、本発明の移動式スクリーン設備は、図面を参照して説明した上述の各実施形態に限定されるものではなく、その技術的範囲において様々な変形例が考えられる。
例えば、第一ベルトコンベア２０、第二ベルトコンベア４０、第三ベルトコンベア５０のレイアウトは、適宜変更することが可能である。
これ以外にも、本発明の主旨を逸脱しない限り、上記実施の形態で挙げた構成を取捨選択したり、他の構成に適宜変更することが可能である。
【符号の説明】
【００２３】
１０  移動式スクリーン設備         １１  クローラ
１２  車台                              ２０  第一ベルトコンベア
２０ａ  下方端                     ２０ｂ  上方端
２１  ホッパー                     ２１ａ  投入口
２１ｂ  供給口（移載部）           ２３  架台
３０  スクリーン                        ３１  チャンバー
３２  第一シュート                 ３２ａ  供給口（移載部）
３３  第二シュート                 ４０  第二ベルトコンベア
４０ａ  下方端                     ４０ｂ  上方端
４１  架台                              ４２  支柱
５０  第三ベルトコンベア           ５０ａ  下方端
５１  支柱                              ６０  集塵機
６１Ａ、６１Ｂ、６１Ｃ  ノズル     ６２Ａ、６２Ｂ、６２Ｃ  ダクト
６３  ダストシュート
【図１】
2010253452.tif 000003